(57)【要約】【課題】空気逃し管路から機体外側へ抜ける空気に含まれる農用資材の粉粒を機体周辺の空気中に飛散させない圃場作業機を提供する。【解決手段】圃場に農用資材を供給する供給装置と、植え付け用の苗が載置される苗載せ台１３と、苗載せ台１３の下部から苗を取り出して圃場に植え付ける複数の植付アームと、を有する苗植付装置Ｗと、が備えられ、供給装置に、農用資材を圃場に供給する排出部３４と、農用資材を排出部３４に案内する搬送管路５０と、搬送管路５０に搬送風を供給するブロアと、搬送管路５０から搬送方向と反対の向きに分岐して、搬送風を分流可能な空気逃し管路６０と、が備えられ、空気逃し管路６０の分岐先端部は、苗載せ台１３の下端よりも低い高さとなるように延設されている。【選択図】図５
2019165648.tif 000002
【特許請求の範囲】
【請求項１】
圃場に農用資材を供給する供給装置と、
植え付け用の苗が載置される苗載せ台と、前記苗載せ台の下部から苗を取り出して圃場に植え付ける複数の植付アームと、を有する苗植付装置と、が備えられ、
前記供給装置に、前記農用資材を圃場に供給する排出部と、前記農用資材を前記排出部に案内する搬送管路と、前記搬送管路に搬送風を供給するブロアと、前記搬送管路から搬送方向と反対の向きに分岐して、前記搬送風を分流可能な空気逃し管路と、が備えられ、
前記空気逃し管路の分岐先端部は、前記苗載せ台の下端よりも低い高さとなるように延設されている圃場作業機。
【請求項２】
複数の前記搬送管路が、前記植付アームごとに備えられ、
夫々の前記搬送管路から分岐する前記空気逃し管路が、複数の管路を接続可能なジョイント管と接続し、かつ、前記分岐先端部が一つの管路に纏められている請求項１に記載の圃場作業機。
【請求項３】
前記ジョイント管は、前記苗植付装置と連結されるガイド部材によって支持される請求項２に記載の圃場作業機。
【請求項４】
前記複数の搬送管路における夫々の前記空気逃し管路の分岐基端部は、機体横方向において前記ジョイント管の接続箇所の位置する側に向けて傾斜する請求項２又は３に記載の圃場作業機。
【請求項５】
圃場の田面に接地追従する整地フロートが前記苗植付装置の下部に備えられ、
前記分岐先端部は前記整地フロートの前方に配置されている請求項１から４の何れか一項に記載の圃場作業機。
【請求項６】
圃場の田面に溝を形成する作溝器が備えられ、
前記分岐先端部は前記作溝器の近傍に配置されている請求項１から５の何れか一項に記載の圃場作業機。
【発明の詳細な説明】
【技術分野】
【０００１】
本発明は、圃場に農用資材を供給する供給装置が備えられた圃場作業機に関する。
【背景技術】
【０００２】
例えば特許文献１において、圃場に農用資材を供給する供給装置（文献の施肥機３６）と、植え付け用の苗が載置される苗載せ台（文献の苗載台１６）を有する苗植付装置（文献の植付部１５）と、が備えられた田植機が開示されている。この供給装置に、農用資材を圃場に案内する搬送管路（文献の施肥ホース４４）と、搬送管路に搬送風を供給するブロア（文献のブロワ４１）と、搬送管路の中間部から搬送方向と反対の向きに分岐して、前記搬送風を分流可能な空気逃し管路（文献の逃し管９７，ホース９８）と、が備えられ、空気逃し管路の中間部は山形状に湾曲され、空気逃し管路の分岐先端部は下方に臨む構成となっている。これにより、搬送管路の下流側で肥料詰まりなどが発生した場合、搬送管路内を流通する空気は空気逃し管路を介して機体外側に抜ける構成となっている。
【先行技術文献】
【特許文献】
【０００３】
【特許文献１】特開２０００−０６０２４７号公報
【発明の概要】
【発明が解決しようとする課題】
【０００４】
ところで、空気逃し管路から機体外側へ抜ける空気に、農用資材の粉粒が含まれる可能性が考えられる。このような農用資材の粉粒は、搬送風によって機体外側へ勢い良く排出されるため、塵埃となって機体周辺の空気中に飛散する虞がある。また、このような農用資材は酸性の化学性質を有する場合が多く、農用資材が金属の表面に付着すると、金属が酸化し易い。特に特許文献１における田植機では、搬送管路の中間部付近、即ち苗植付装置の上下中間位置付近から空気逃し管路の空気が排出される。このため、特許文献１における田植機では、農用資材の粉粒が飛散した後に苗植付装置のフレーム等に付着する可能性が高く、これによって、苗植付装置に錆が発生する虞があった。このことから、圃場作業機における作業環境やメンテナンスの観点から、空気逃し管路に改善の余地があった。
【０００５】
上述した実情に鑑みて、本発明の目的は、空気逃し管路から機体外側へ抜ける空気に含まれる農用資材の粉粒を機体周辺の空気中に飛散させない圃場作業機を提供することにある。
【課題を解決するための手段】
【０００６】
本発明による圃場作業機は、
圃場に農用資材を供給する供給装置と、
植え付け用の苗が載置される苗載せ台と、前記苗載せ台の下部から苗を取り出して圃場に植え付ける複数の植付アームと、を有する苗植付装置と、が備えられ、
前記供給装置に、前記農用資材を圃場に供給する排出部と、前記農用資材を前記排出部に案内する搬送管路と、前記搬送管路に搬送風を供給するブロアと、前記搬送管路から搬送方向と反対の向きに分岐して、前記搬送風を分流可能な空気逃し管路と、が備えられ、
前記空気逃し管路の分岐先端部は、前記苗載せ台の下端よりも低い高さとなるように延設されていることを特徴とする。
【０００７】
空気逃し管路は搬送管路から搬送方向と反対の向きに分岐するため、農用資材は空気逃し管路に流れ込み難くなっているが、微小の粉粒となった農用資材の一部が空気逃し管路に流れ込む。本発明によると、空気逃し管路の分岐先端部は、苗載せ台の下端よりも低い高さとなっているため、空気逃し管路における排出方向末端の排出口が圃場に近付く。このため、空気逃し管路に流れ込む農用資材の粉粒の多くが圃場に吹き付けられ、農用資材の粉粒が空気中に飛散する虞が大幅に低減されて圃場作業機における作業環境が改善される。
【０００８】
また、空気逃し管路に流れ込む農用資材の粉粒が苗載せ台の下端よりも低い高さまで案内されるため、例えば苗植付装置の上下中間位置付近に空気逃し管路の分岐先端部が設けられた構成と比較して、農用資材の粉粒が苗植付装置のフレーム等に付着し難くなる。これにより、苗植付装置に錆が発生する虞が低減されて、圃場作業機におけるメンテナンス性が改善される。つまり、空気逃し管路から機体外側へ抜ける空気に含まれる農用資材の粉粒を機体周辺の空気中に飛散させない圃場作業機が、本発明によって実現される。
【０００９】
本発明において、
複数の前記搬送管路が、前記植付アームごとに備えられ、
夫々の前記搬送管路から分岐する前記空気逃し管路が、複数の管路を接続可能なジョイント管と接続し、かつ、前記分岐先端部が一つの管路に纏められていると好適である。
【００１０】
本構成によると、複数の空気逃し管路が、排出方向下流側で一つの管路に纏められるため、空気逃し管路に流れ込む農用資材の粉粒の排出口が一箇所のみとなり、空気逃し管路の分岐先端部におけるメンテナンスが容易になる。
【００１１】
本発明において、
前記ジョイント管は、前記苗植付装置と連結されるガイド部材によって支持されると好適である。
【００１２】
本構成であると、ジョイント管がガイド部材を介して苗植付装置と連結される構造であるため、簡易な構成でジョイント管が苗植付装置によって支持される。
【００１３】
本発明において、
前記複数の搬送管路における夫々の前記空気逃し管路の分岐基端部は、機体横方向において前記ジョイント管の接続箇所の位置する側に向けて傾斜すると好適である。
【００１４】
本構成であれば、ジョイント管の接続箇所と空気逃し管路の分岐基端部との間の管路を出来るだけ湾曲させずに直線状に形成し易くなり、空気逃し管路に流れ込む農用資材の粉粒が、空気逃し管路の管路内に滞留することなく円滑に機体外側へ排出される。
【００１５】
本発明において、
圃場の田面に接地追従する整地フロートが前記苗植付装置の下部に備えられ、
前記分岐先端部は前記整地フロートの前方に配置されていると好適である。
【００１６】
本構成によると、空気逃し管路の分岐先端部は整地フロートよりも前側に配置されているため、空気逃し管路に流れ込む農用資材の粉粒が、圃場の田面に吹き付けられた後、整地フロートによって上方から押さえ付けられる。これにより、農用資材の粉粒が田面の土壌に入り込み、農用資材の粉粒が空気中に飛散する虞が一層低減される。
【００１７】
本発明において、
圃場の田面に溝を形成する作溝器が備えられ、
前記分岐先端部は前記作溝器の近傍に配置されていると好適である。
【００１８】
本構成によると、空気逃し管路の分岐先端部は作溝器の近傍に配置されるため、空気逃し管路に流れ込む農用資材の粉粒が、搬送管路の排出部から排出される農用資材と一緒に圃場の田面に供給され易くなる。これにより、供給装置は一層好適に農用資材を圃場に供給できる。
【図面の簡単な説明】
【００１９】
【図１】田植機の全体側面図である。
【図２】田植機の全体平面図である。
【図３】施肥装置の前面図である。
【図４】施肥装置の側面断面図である。
【図５】空気逃し管路の背面図である。
【図６】空気逃し管路の側面図である。
【図７】空気逃し管路の別実施形態を示す背面図である。
【発明を実施するための形態】
【００２０】
〔圃場作業機の基本構成〕
本発明の実施の形態を図面に基づいて説明する。ここでは、本発明の圃場作業機の一例として乗用型田植機を例に挙げて説明する。なお、図１及び図２に示されているように、本実施形態では、矢印Ｆが走行機体１の機体前部側、矢印Ｂが走行機体１の機体後部側、矢印Ｌが走行機体１の機体左側、矢印Ｒが走行機体１の機体右側である。
【００２１】
乗用型田植機には、左右一対の操舵車輪２と、左右一対の後車輪３とを有する走行機体１と、圃場に対する苗の植え付けが可能な作業装置としての八条植え型式の苗植付装置Ｗと、が備えられている。左右一対の操舵車輪２は、走行機体１の機体前側に設けられて走行機体１の向きを変更操作自在なように構成され、左右一対の後車輪３は、走行機体１の機体後側に設けられている。苗植付装置Ｗは、昇降用油圧シリンダ４の伸縮作動により昇降作動するリンク機構５を介して、走行機体１の後端に昇降自在に連結されている。
【００２２】
走行機体１の前部には、開閉式のボンネット６が備えられている。ボンネット６の先端位置には、マーカ（不図示）によって圃場に描かれる指標ライン（不図示）に沿って走行するための目安となる棒状のセンターマスコット７が備えられている。走行機体１には、前後方向に沿って延びる機体フレーム１Ｆが備えられ、機体フレーム１Ｆの前部には支持支柱フレーム８が立設されている。
【００２３】
ボンネット６内には、エンジンＥが備えられている。詳述はしないが、エンジンＥの動力が、機体に備えられた変速装置を介して操舵車輪２及び後車輪３に伝達され、変速後の動力が電動モータ駆動式の植付クラッチ（不図示）を介して苗植付装置Ｗに伝達される。
【００２４】
八条植え型式の苗植付装置Ｗに、四個の伝動ケース１０と、八個の回転ケース１１と、整地フロート１２と、苗載せ台１３と、整地ロータ１４と、が備えられている。回転ケース１１は、各伝動ケース１０の後部の左側部及び右側部に、夫々回転自在に支持されている。夫々の回転ケース１１の両端部に、一対のロータリ式の植付アーム１５が備えられている。整地フロート１２は、圃場の田面に接地追従することで田面を整地するものであり、苗植付装置Ｗに複数備えられている。苗載せ台１３に、植え付け用のマット状苗が載置される。
【００２５】
苗植付装置Ｗは、苗載せ台１３を左右に往復横送り駆動しながら、伝動ケース１０から伝達される動力により各回転ケース１１を回転駆動して、苗載せ台１３の下部から各植付アーム１５により交互に苗を取り出して圃場の田面に植え付けるようになっている。苗植付装置Ｗは、複数の回転ケース１１に備えられた植付アーム１５により苗を植え付けるように構成されている。回転ケース１１が四個の場合は四条植え型式であり、回転ケース１１が六個の場合は六条植え型式であり、回転ケース１１が八個の場合は八条植え型式であり、回転ケース１１が十個の場合は十条植え型式である。
【００２６】
走行機体１におけるボンネット６の左右側部には、二個の予備苗台１６が備えられている。予備苗台１６は、苗植付装置Ｗに補給するための予備苗を載置可能なレール式に構成されている。走行機体１におけるボンネット６の左右側部には、予備苗台１６を支持する背高のフレーム部材としての左右一対の予備苗フレーム１７が備えられ、左右の予備苗フレーム１７の上部同士が連結フレーム１８にて連結されている。
【００２７】
走行機体１に衛星測位ユニット１９が備えられている。衛星測位ユニット１９は、航法衛星からの電波を受信して機体の位置を検出する衛星測位用システム（ＧＮＳＳ：Ｇｌｏｂａｌ  Ｎａｖｉｇａｔｉｏｎ  Ｓａｔｅｌｌｉｔｅ  Ｓｙｓｔｅｍ）の一例として、周知の技術であるＧＰＳ（Ｇｌｏｂａｌ  Ｐｏｓｉｔｉｏｎｉｎｇ  Ｓｙｓｔｅｍ）を利用して、機体の位置を求める。衛星測位ユニット１９は、走行機体１の前部に位置する状態で、連結フレーム１８に取り付けられている。図１及び図２に示されるように、衛星測位ユニット１９が、連結フレーム１８と予備苗フレーム１７とによって、高い箇所に支持されるものとなる。これにより、衛星測位ユニット１９に受信障害が生じるおそれが少なく、衛星測位ユニット１９における電波の受信感度を高めることができる。
【００２８】
走行機体１の中央部には、各種の運転操作が行われる搭乗部２０が備えられている。搭乗部２０には、運転座席２１と、操向ハンドル２２と、主変速レバー２３と、操作レバー２４と、が備えられている。運転座席２１は、走行機体１の中央部に備えられ、搭乗者が着席可能なように構成されている。操向ハンドル２２は、人為操作によって操舵車輪２の操向操作を可能なように構成されている。主変速レバー２３は、前後進の切換え操作や走行速度の変更操作が可能なように構成されている。苗植付装置Ｗの昇降操作と、左右の整地ロータ１４の切換えと、が操作レバー２４によって行われる。操向ハンドル２２、主変速レバー２３、操作レバー２４等は、運転座席２１の機体前部側に位置する操縦塔２５の上部に備えられている。搭乗部２０の足元部位の左右両方に、搭乗者が搭乗部２０へ機体横側方から乗降するための乗降用ステップ２６が設けられている。
【００２９】
操作レバー２４を上昇位置に操作すると、植付クラッチ（不図示）が切り操作されて苗植付装置Ｗに対する伝動が遮断され、昇降用油圧シリンダ４を作動して苗植付装置Ｗが上昇する。操作レバー２４を下降位置に操作すると、苗植付装置Ｗが下降して田面に接地して停止した状態となる。
【００３０】
搭乗者は、田植え作業を開始するときは、操作レバー２４を操作して苗植付装置Ｗを下降させると共に、苗植付装置Ｗに対する伝動を開始させて田植え作業を開始する。そして、田植え作業を停止するときは、操作レバー２４を操作して苗植付装置Ｗを上昇させると共に、苗植付装置Ｗに対する伝動を遮断する。
【００３１】
〔施肥装置〕
図１乃至図４に示されるように、搭乗部２０よりも後側に、本発明の供給装置としての施肥装置３０が備えられ、施肥装置３０は圃場に植え付けられた苗に、例えば肥料や薬剤等の農用資材である粉粒体を供給する。施肥装置３０に、ホッパー３１と、繰出し部３２と、搬送管路５０と、施肥排出部３４（排出部）と、作溝器３５と、ブロア３６と、電動式の駆動モータ３７と、が設けられている。
【００３２】
本実施形態では、八条植え型式の苗植付装置Ｗに対応して、八個の作溝器３５が、夫々の回転ケース１１の近傍に設けられている。作溝器３５によって圃場の田面における夫々の植え付け条の近傍に溝が形成される。八個の施肥排出部３４が夫々の作溝器３５と一体的に設けられ、八本の搬送管路５０が夫々の施肥排出部３４に連通接続されている。なお、作溝器３５と施肥排出部３４とは一体的に設けられても良いし、作溝器３５と施肥排出部３４との夫々が別体で設けられても良い。
【００３３】
夫々の搬送管路５０は、剛性を有する第一管路５１と、苗植付装置Ｗに支持されて剛性を有する第二管路５２と、可撓性を有する第三管路５３と、の組み合わせによって構成されている。図４に示されるように、第一管路５１は繰出し部３２の下端と連結され、ブロア３６の搬送風を受け入れる空気導入口５１ａと、管路途中に設けられて繰出し部３２から繰り出された粉粒体を受け入れる施肥入口５１ｂと、が形成されている。第二管路５２は、苗植付装置Ｗの支持フレーム７０（図５，図６）に支持されて、粉粒体及び搬送風を施肥排出部３４へ送り出す。第三管路５３は、第一管路５１と第二管路５２とを連通接続する可撓性のホースであり、苗植付装置Ｗは上下の昇降動作に対応して湾曲度合いが変形自在な構成となっている。第一管路５１は機体側面視で水平方向に沿う状態となっており、第二管路５２は機体側面視で後下がりに傾斜する。
【００３４】
図３及び図４に示されるように、機体横方向に沿って四個のホッパー３１，３１，３１，３１が左右に振り分けて配置され、夫々のホッパー３１よりも下側に繰出し部３２が設けられている。右側の二つのホッパー３１，３１が二つ一組で連結され、左側の二つのホッパー３１，３１が二つ一組で連結されている。更に、単体の繰出し部３２に、二つの繰出しロール３８，３８が装着可能となっている。つまり、繰出しロール３８は、八本の搬送管路５０の夫々に対応して設けられる構成であるため、ホッパー３１よりも下側に配置された複数の繰出し部３２が、異なる植え付け条ごとに施肥可能な構成となっている。夫々の繰出しロール３８よりも下側の空間は、夫々異なる搬送管路５０の施肥入口５１ｂと連通する。
【００３５】
また、繰出し部３２の機体前方に、筒状の送風ダクト３９が機体横方向に沿って設けられている。送風ダクト３９はブロア３６の吐出口と接続され、ブロア３６からの搬送風が送風ダクト３９に送り込まれる。送風ダクト３９の後側部に、第一管路５１の空気導入口５１ａが貫通するための八箇所の貫通孔３９ａが形成され、夫々の第一管路５１の空気導入口５１ａが送風ダクト３９の筒内に挿入される。貫通孔３９ａと空気導入口５１ａとは全周に亘って密着し、貫通孔３９ａから搬送風が漏れ出さないように、第一管路５１及び送風ダクト３９は構成されている。
【００３６】
夫々の繰出しロール３８は駆動モータ３７によって駆動され、夫々の繰出しロール３８の回転によって、ホッパー３１に貯留された粉粒体が繰り出され、夫々の第一管路５１の施肥入口５１ｂに粉粒体が案内される。搬送管路５０の管路内は、空気導入口５１ａから施肥排出部３４へ搬送風が流れ、搬送方向は空気導入口５１ａから施肥排出部３４へ向かう側の方向となる。施肥入口５１ｂに案内された粉粒体は、ブロア３６の搬送風によって施肥排出部３４に送られる。換言すると、可撓性を有する第三管路５３の一部分が後上がりに傾斜しても、ブロア３６の搬送風によって、粉粒体が、この後上がりに傾斜する箇所に滞留することなく第二管路５２に案内される。そして、粉粒体は後下がりに傾斜する第二管路５２の管路内を自由落下する。作溝器３５によって圃場の田面における夫々の植え付け条の近傍に溝が形成され、施肥排出部３４に送られた粉粒体は、田面の溝に供給される。
【００３７】
繰出しロール３８が、エンジンＥのベルト駆動ではなくて電動式の駆動モータ３７によって駆動される構成によって、例えば肥料の種類や車速等に応じて駆動モータ３７の回転速度の制御が容易になり、田面の溝に供給される粉粒体の供給量を容易に調整できる。また、衛星測位ユニット１９によって取得された位置情報と、過去の施肥実績と、に基づいて、位置情報と連係して電動式の駆動モータ３７の回転速度を増減制御することによって、位置情報ごとに施肥量を調整する構成であっても良い。
【００３８】
駆動モータ３７は施肥装置３０の機体右側部に備えられ、駆動モータ３７の駆動力がギアボックス４０を介して機体左右に亘る中間伝動軸４１に伝達され、中間伝動軸４１が回転する。中間伝動軸４１の長手方向に沿って四個のホッパー３１，３１，３１，３１が一列に配置され、四個のホッパー３１，３１，３１，３１よりも下側に四個の繰出し部３２，３２，３２，３２が一列に配置されている。四個の繰出し部３２，３２，３２，３２に対応して、中間伝動軸４１に四個の出力ギア４２，４２，４２，４２が設けられ、繰出し部３２に、夫々の出力ギア４２と係合可能な入力ギア（不図示）が設けられている。中間伝動軸４１の動力が出力ギア４２及び入力ギアを介して夫々の繰出しロール３８に伝達され、夫々の繰出しロール３８が回転する。
【００３９】
〔空気逃し管路〕
図５及び図６に示されるように、苗植付装置Ｗの左右両端に、苗載せ台１３を支持する縦支持パイプ７１，７１が備えられている。支持フレーム７０が縦支持パイプ７１，７１に両持支持された状態で苗植付装置Ｗの左右に亘り、第二管路５２は支持フレーム７０に夫々連結固定されている。そして、搬送管路５０から分岐して搬送風を分流可能な空気逃し管路６０が第二管路５２に備えられている。第二管路５２は、施肥排出部３４と連通接続する吐出口５２ａと、空気逃し管路６０の分岐口５２ｂと、を有する。搬送風の一部が空気逃し管路６０に流れることによって、施肥排出部３４における搬送風の圧力が、高くなり過ぎないように調整される。これにより、田面の溝に粉粒体が好適に供給され、過剰な圧力によって粉粒体が田面の溝よりも外側に撒き散らされる虞が低減される。
【００４０】
分岐口５２ｂに、ブロア３６からの搬送風を分流可能な空気逃し管路６０が接続される。分岐口５２ｂは、搬送管路５０から搬送方向と反対の向きに分岐する。第二管路５２は側面視で後下がりに傾斜するため、夫々の分岐口５２ｂ及び空気逃し管路６０は、側面視で前上がりに傾斜する。このことから、搬送管路５０で施肥排出部３４に搬送される粉粒体が、搬送管路５０から空気逃し管路６０に流れ込み難くなるように、分岐口５２ｂ及び空気逃し管路６０は構成されている。
【００４１】
空気逃し管路６０において分岐口５２ｂと連通接続する側と反対側の端部はジョイント管６２と接続する。夫々の空気逃し管路６０はジョイント管６２を介して一つの纏め管路６３と連通接続する。本実施形態では、二つの纏め管路６３，６３が左右に振り分けて配置され、右側の纏め管路６３に機体右側の四本の空気逃し管路６０が連通接続し、左側の纏め管路６３に機体右側の四本の空気逃し管路６０が連通接続する。つまり、夫々の空気逃し管路６０の分岐先端部が、纏め管路６３によって一つの管路に纏められている。
【００４２】
ジョイント管６２は、左右二箇所の接続口と、下端の接続口と、を有するＴ字状に形成され、苗植付装置Ｗの機体横方向に沿って六本のジョイント管６２が横並びで配置されている。機体右側の三本のジョイント管６２が機体右側の四本の空気逃し管路６０と対応した状態で纏まって配置され、機体左側の三本のジョイント管６２が機体左側の四本の空気逃し管路６０と対応した状態で纏まって配置されている。なお、苗植付装置Ｗが四条植え型式である場合、三本のジョイント管６２が、苗植付装置Ｗの左右中央部に纏まって配置される構成であっても良い。
【００４３】
機体左右夫々に纏まって配置された三本のジョイント管６２のうち、左右中央のジョイント管６２の下端の接続口が纏め管路６３と接続される。左右両端の二本のジョイント管６２，６２における左右二箇所の接続口のうち左右中央のジョイント管６２と対向する側の接続口と、左右中央のジョイント管６２の左右両側の接続口と、が接続管路６５を介して接続される。つまり、接続管路６５は、隣り合う二本のジョイント管６２の対向する接続口を連通接続する。左右両端の二本のジョイント管６２，６２に、空気逃し管路６０，６０，６０，６０が夫々接続される。具体的には、ジョイント管６２の接続口のうち、下端の接続口と、左右中央のジョイント管６２と対向する側と反対側の接続口と、が空気逃し管路６０の接続口に用いられる。なお、ジョイント管６２が接続可能な空気逃し管路６０の本数は適宜変更可能であり、ジョイント管６２の接続口の個数も適宜変更可能である。更に、ジョイント管６２の接続口のうち、管路と接続しない箇所は、栓で閉塞できる。
【００４４】
複数の搬送管路５０における夫々の空気逃し管路６０の分岐基端部は、機体横方向においてジョイント管６２の接続箇所の位置する側に向けて傾斜する。つまり、夫々の第二管路５２の分岐口５２ｂは、ジョイント管６２の接続口の位置する側に向けて左右に傾斜する。これにより、分岐口５２ｂとジョイント管６２の接続口とに亘る部分の空気逃し管路６０が、出来るだけ直線状に形成された管路となる。その結果、空気逃し管路６０に流れ込む微小の粉粒体が、空気逃し管路６０の管路内に滞留することなく機体外側へ排出される。
【００４５】
纏め管路６３のうち、左右中央のジョイント管６２の下端の接続口と接続された側と反対側の下端部６３ａは、下方の田面と対向する状態で開口する。下端部６３ａの付近は、金属線によって構成された下端ガイド部材６６によって位置保持される。縦支持パイプ７１，７１の下端で両持支持された下部フレーム７２が苗植付装置Ｗの下部に備えられている。下部フレーム７２は、苗載せ台１３の下端よりも下方に位置すると共に苗植付装置Ｗの左右に亘る。また、下部フレーム７２の前端部は、整地フロート１２の前端部よりも機体前方に位置する。下端ガイド部材６６は下部フレーム７２の上側面にボルト連結され、下端ガイド部材６６の上部は螺旋状に形成されている。螺旋状となっている下端ガイド部材６６の上部は、纏め管路６３における下端部６３ａの付近の箇所を外嵌支持し、下端部６３ａは下部フレーム７２の前下端付近まで延出する。つまり、空気逃し管路６０の分岐先端部、即ち下端部６３ａは、整地フロート１２の機体前方に位置し、かつ、苗載せ台１３の下端よりも低い高さとなるように延設されている。
【００４６】
上述した纏め管路６３の構成によって、粉粒体の一部が搬送管路５０から空気逃し管路６０に流れ込んでも、纏め管路６３の下端部から圃場の田面に排出され、纏め管路６３の下端部よりも後側の整地フロート１２によって田面に押さえ付けられる。これにより、空気逃し管路６０に流れ込んだ粉粒体が空気中に排出されて塵埃となる虞が低減される。また、空気逃し管路６０に流れ込んだ粉粒体が、苗植付装置Ｗの周囲に排出された後に苗植付装置Ｗに付着すると、苗植付装置Ｗが錆びる虞があるが、上述した構成であれば、粉粒体が圃場の田面に排出されるため、苗植付装置Ｗが錆びる虞が低減される。
【００４７】
空気逃し管路６０とジョイント管６２と接続管路６５とは、苗植付装置Ｗの支持フレーム７０と連結されるガイド部材６４によって支持される。ガイド部材６４は金属線によって構成され、支持フレーム７０に溶接固定される下端支持部と、螺旋状に形成されてジョイント管６２を外嵌支持可能な螺旋部と、を有する。螺旋部の螺旋形状が機体横方向に沿う状態で、螺旋部は、空気逃し管路６０とジョイント管６２と接続管路６５との何れかを外嵌支持する。ガイド部材６４は支持フレーム７０から前上がりの向きに立設され、ジョイント管６２は、支持フレーム７０よりも上方でガイド部材６４に支持される。また、夫々のジョイント管６２における夫々の接続口は、夫々の第二管路５２の分岐口５２ｂよりも上方に位置するため、この間の空気逃し管路６０は、側面視で前上がりに傾斜する。これにより、搬送管路５０で施肥排出部３４に搬送される粉粒体が、搬送管路５０から空気逃し管路６０に流れ込み難くなる。
【００４８】
〔別実施形態〕
本発明は、上記の実施形態に例示された構成に限定されるものではなく、以下、本発明の代表的な別実施形態を例示する。
【００４９】
（１）上述した実施形態において、空気逃し管路６０は、夫々の分岐口５２ｂと接続された第四管路６１が、ジョイント管６２を介して一つの纏め管路６３に纏められた構成となっているが、上述した実施形態に限定されない。例えば、図７に示されるように、夫々の分岐口５２ｂと接続された夫々の第四管路６１が、田面付近まで延ばされる構成であっても良い。この場合においても、第四管路６１の吐出口が整地フロート１２よりも前方に位置し、第四管路６１の吐出口から排出された粉粒体が整地フロート１２に押し付けられる構成であっても良い。もちろん、第四管路６１の吐出口が作溝器３５の近傍に設けられる構成であっても良い。
【００５０】
（２）上述した実施形態において、纏め管路６３の下端部は、整地フロート１２よりも前側に位置する構成となっているが、纏め管路６３の下端部が整地フロート１２よりも後側に位置する構成であっても良い。この場合、纏め管路６３の下端部が作溝器３５の近傍に配置される構成であっても良い。この構成によって、空気逃し管路６０に流れ込む微小な粉粒体が、施肥排出部３４から排出される粉粒体と一緒に圃場に供給され易くなる。
【００５１】
（３）上述した実施形態において、空気逃し管路６０は苗植付装置Ｗに設けられる構成となっているが、上述した実施形態に限定されない。例えば、分岐口５２ｂが第一管路５１や第三管路５３に設けられる構成であっても良く、空気逃し管路６０が、機体フレーム１Ｆに支持されて、繰出し部３２や第一管路５１の真下に設けられる構成であっても良い。
【００５２】
（４）上述した実施形態において、複数の搬送管路５０における夫々の空気逃し管路６０の分岐基端部は、機体横方向においてジョイント管６２の接続箇所の位置する側に向けて傾斜するが、上述した実施形態に限定されない。例えば、複数の搬送管路５０における夫々の空気逃し管路６０の分岐基端部は、真上に向く構成であっても良い。この構成によって、微小な粉粒体が空気逃し管路６０に一層流れ込み難くなる。
【００５３】
（５）上述した実施形態において、機体左右夫々に纏まって三本ずつジョイント管６２，６２，６２が配置され、三本のジョイント管６２が二本の接続管路６５によって接続されているが、上述した実施形態に限定されない。例えば、三本のジョイント管６２と二本の接続管路６５とが一体的に構成され、一本のジョイント管６２として構成されていても良い。
【００５４】
（６）上述した実施形態は、田植機に限定されず、直播機や野菜移植機、圃場における肥料や薬剤の散布機等にも適用可能である。
【産業上の利用可能性】
【００５５】
本発明は、圃場作業機に適用可能である。
【符号の説明】
【００５６】
１２    ：整地フロート
１３    ：苗載せ台
１５    ：植付アーム
３０    ：施肥装置（供給装置）
３４    ：施肥排出部（排出部）
３５    ：作溝器
３６    ：ブロア
５０    ：搬送管路
６０    ：空気逃し管路
６２    ：ジョイント管
６３    ：纏め管路（一つの管路）
６４    ：ガイド部材
Ｗ      ：苗植付装置
【図１】
2019165648.tif 000003
【図２】
2019165648.tif 000004
【図３】
2019165648.tif 000005
【図４】
2019165648.tif 000006
【図５】
2019165648.tif 000007
【図６】
2019165648.tif 000008
【図７】
2019165648.tif 000009